(57)【要約】【課題】より広画面の再帰反射性ディスプレイを提供すること呈示し、立体型多表示３Ｄディスプレイの作成に適用することである。【解決手段】視野がスクリーンの幅より狭い複数のプロジェクターを用いてパノラマ３Ｄ画像が作り出される。各プロジェクターは共通被写体の異なる視角からの異なる画像を提供し、異なる画像はスクリーン上でモザイク化される。観察者はどのプロジェクターが観察者の視野内にあるかにより合成画像の限定された表示が得られる。表示量は観察者の瞳孔間距離、各プロジェクターの表示窓の幅、および投影基線からスクリーンまでの距離に依存するファーリミットの線を超えた空間を用いることにより拡張することができる。【選択図】図３
2011197675.tif 000002
【特許請求の範囲】
【請求項１】
３次元のパノラマ投影画像を作り出す投影システムであって、
一線に沿った複数のプロジェクターであって、前記プロジェクターは投影基線を定義し
、前記複数のプロジェクターにおける各プロジェクターは共通被写体の異なる視角からの
ずれた表示を提供する複数のプロジェクターと、
前記複数のプロジェクターにおける各々のプロジェクターの視野より広い幅を有するス
クリーンと、を有し、
前記各プロジェクターは隣接するプロジェクターにより提供される画像が前記スクリー
ン上で部分的に重なり合い幾何学的に位置合わせされるよう配置され、前記投影基線に沿
った前記各隣接するプロジェクターからの投影画像は前記スクリーン上で共通方向にずら
され、前記複数のプロジェクターは互いに測光的位置合わせがない投影システム。
【請求項２】
前記複数のプロジェクターの任意の1台から投影される画像は、前記スクリーンの幅の
一部にかかり、前記複数のプロジェクターからの部分的に重なり合う画像は前記スクリー
ンの幅に実質的にわたる1つの合成画像を作り出す請求項１に記載の投影システム。
【請求項３】
前記一部は前記合成画像の幅全体にわたらない請求項２に記載の投影システム。
【請求項４】
前記複数のプロジェクターにおける各プロジェクターは、前記共通被写体の個別の画像
を提供し、前記各個別の画像は前記共通被写体の異なる視角を提供する請求項１に記載の
投影システム。
【請求項５】
前記複数のプロジェクターにおいていずれの2台のプロジェクターも同じ画像を提供し
ない請求項１に記載の投影システム。
【請求項６】
前記部分的に重なり合う画像は等しいサイズである請求項１に記載の投影システム。
【請求項７】
前記投影基線に沿った前記各隣接するプロジェクターからの投影画像は、前記スクリー
ンにおいて前記共通方向にそって共通の固定量ずらされる請求項１に記載の投影システム
。
【請求項８】
前記複数のプロジェクターの各々の光軸は前記スクリーンに対し法線をなす請求項１に
記載の投影システム。
【請求項９】
前記複数のプロジェクターは前記スクリーンに対し法線をなす方向に沿って前記スクリ
ーンに対し等距離である請求項８に記載の投影システム。
【請求項１０】
2011197675.tif 000006
【発明の詳細な説明】
【技術分野】
【０００１】
本発明は一般的に表示に関わり、より具体的に広表示領域および広表示画面の裸眼立体
三次元（３Ｄ）表示に関する。
【背景技術】
【０００２】
従来、立体すなわち３Ｄ画像は見る者の各々左および右目で左および右の別個の立体画
像を見ることを制御するヘッドギアに補助され作成される。左および右画像の各々は見る
者の目の視角に密接に合致した、多少ずらされた視角から同じ場面を表示する。左および
右の別個の画像を各目の通常の視角に密接に合致した視角で見る者の左および右目に伝達
することにより、見る者にとって三次元、すなわち３Ｄ、表示の錯覚が作り出される。
【０００３】
この方法は効果的であるが、必要とされるヘッドギア（頭装着型ディスプレイまたは特
定角度の表示を拒絶する特殊レンズの眼鏡など）のためこの方法は面倒である。ヘッドギ
アの使用に代わる方法の1つは裸眼立体ディスプレイ、すなわち特定視角で見ることによ
ってのみ選ばれた画像を見ることができるように選ばれた画像を特定の視角で表示する特
殊ディスプレイ、を使用することである。これらの特定の視角は通常「表示窓」と呼ばれ
る。
【０００４】
裸眼立体ディスプレイは特殊な光導素子を用いてユーザー空間に別個の表示窓を作り出
し、これによりユーザーは眼鏡なしで３Ｄ画像を見ることができる。指定された表示窓は
人間の目のサイズよりかなり大きい表示空間を形成するので、ユーザーは目が表示空間内
にある限り自由に頭を動かすことができる。
現在表示窓を実現するために使用される立体化方法は平行遮蔽に基づくディスプレイお
よびレンズに基づくディスプレイを含む（例えば特許文献１参照。）。
【先行技術文献】
【特許文献】
【０００５】
【特許文献１】米国特許第５０１２２７４号明細書
【発明の概要】
【発明が解決しようとする課題】
【０００６】
平行遮蔽ディスプレイは光遮蔽を用いて表示窓を実現するが、この方法は各ピクセルか
ら放射される光の少量のみが遮蔽窓を通過するのでより暗い画像をもたらす。表示領域の
重なりはクロストークの原因となり、片方の目が他方の目に意図された画像を見ることに
なる。クロストークが著しい場合、立体効果を知覚できないか正しく知覚できなくなる。
また平行遮蔽ディスプレイは小孔を用い、特に表示解像度が高まるにつれ回折の原因とな
り得る。表示解像度が高まるにつれ遮蔽孔サイズが小さくなり、さらに深刻な回折効果の
原因となる。平行遮蔽ディスプレイは元の表示の解像度を表示の数で割るので、n個の表
示を表示すると個々の表示の解像度は元の表示の解像度の1／nになる。平行遮蔽ディスプ
レイは各表示が1つの遮蔽窓に結び付いたn個のピクセル列の内1つのピクセル列のみ見ら
れることからピクセルの暗線で悩む。
【０００７】
レンズに基づくディスプレイは平行遮蔽に基づくディスプレイに比べ多少の改良を提供
する。レンズに基づくディスプレイは平行遮蔽に基づくディスプレイの遮蔽スリットに比
べより高い解像度を提供するが、高品質のレンズ状シートを必要とするため一般的に製造
がより難しく高価になる。一般的に、レンズに基づくディスプレイの質はディスプレイに
用いられるレンズ状シートの質に直接関係している。レンズ状シートを表示と位置合わせ
することも相当な努力を要する。レンズに基づくディスプレイは平行遮蔽に基づくディス
プレイに比べ利点を提供するが、レンズに基づくディスプレイも表示窓間のクロストーク
、暗線問題、限られた解像度、および限られた表示窓数に悩まされる。
【０００８】
本発明の一目的はより広い表示領域を有する再帰反射性ディスプレイを作り出すことで
ある。
本発明の別の目的は広画面の再帰反射性ディスプレイを呈示することである。
本発明のさらに別の目的はより広い表示領域および広画面ディスプレイを立体型多表示
３Ｄディスプレイの作成に適用することである。
【課題を解決するための手段】
【０００９】
本発明の投影システムは、３次元のパノラマ投影画像を作り出す投影システムであって
、
一線に沿った複数のプロジェクターであって、前記プロジェクターは投影基線を定義し
、前記複数のプロジェクターにおける各プロジェクターは共通被写体の異なる視角からの
ずれた表示を提供する複数のプロジェクターと、
前記複数のプロジェクターにおける各々のプロジェクターの視野より広い幅を有するス
クリーンと、を有し、
前記各プロジェクターは隣接するプロジェクターにより提供される画像が前記スクリー
ン上で部分的に重なり合い幾何学的に位置合わせされるよう配置され、前記投影基線に沿
った前記各隣接するプロジェクターからの投影画像は前記スクリーン上で共通方向にずら
され、前記複数のプロジェクターは互いに測光的位置合わせがないことを特徴とする。
また、本発明の投影システムにおいて、前記複数のプロジェクターの任意の1台から投
影される画像は、前記スクリーンの幅の一部にかかり、前記複数のプロジェクターからの
部分的に重なり合う画像は前記スクリーンの幅に実質的にわたる1つの合成画像を作り出
すことを特徴とする。
【００１０】
また、本発明の投影システムにおいて、前記一部は前記合成画像の幅全体にわたらない
ことを特徴とする。
【００１１】
また、本発明の投影システムにおいて、前記複数のプロジェクターにおける各プロジェ
クターは、前記共通被写体の個別の画像を提供し、前記各個別の画像は前記共通被写体の
異なる視角を提供することを特徴とする。
【００１２】
また、本発明の投影システムにおいて、前記複数のプロジェクターにおいていずれの2
台のプロジェクターも同じ画像を提供しないことを特徴とする。
【００１３】
また、本発明の投影システムにおいて、前記部分的に重なり合う画像は等しいサイズで
あることを特徴とする。
【００１４】
また、本発明の投影システムにおいて、前記投影基線に沿った前記各隣接するプロジェ
クターからの投影画像は、前記スクリーンにおいて前記共通方向にそって共通の固定量ず
らされることを特徴とする。
【００１５】
また、本発明の投影システムにおいて、前記複数のプロジェクターの各々の光軸は前記
スクリーンに対し法線をなすことを特徴とする。
【００１６】
また、本発明の投影システムにおいて、前記複数のプロジェクターは前記スクリーンに
対し法線をなす方向に沿って前記スクリーンに対し等距離であることを特徴とする。
【００１７】
2011197675.tif 000003
【図面の簡単な説明】
【００１８】
【図１】光拡散スクリーンの作用を示す図である。
【図２】再帰反射性スクリーンの作用を示す図である。
【図３】本発明による再帰反射性垂直光拡散スクリーンの作用を示す図である。
【図４】本発明による再帰反射性垂直光拡散スクリーンを有する表示システムを示す図である。
【図５】2台のカメラを用いて2つの多少異なる視角から共通場面の2つの画像を撮ることにより被写体の立体画像を作り出すシステムを示す図である。
【図６】2台のプロジェクターを用いて各々左目画像および右目画像を再帰反射性垂直光拡散スクリーンに投影する、本発明による再帰反射性垂直光拡散ディスプレイシステムの例を示す図である。
【図７】多視表示区域を作り出すのに適した、本発明の代替実施形態を示す図である。
【図８】本発明による多視システムが再帰反射性垂直光拡散スクリーンとプロジェクターのセットを含み得ることを示す図である。
【図９】１つの表示窓の場合の表示量を示す図である。
【図１０】図のより広い表示基線を示す図である。
【図１１】8台のプロジェクター（図示せず）を用い、各々周囲に対応する菱形の全スクリーン区域を有する8つの（矩形）表示窓を作り出す多表示投影システムを示す図である。
【図１２】観察者の2つの目を表し、それを超えると観察者の知覚する３Ｄ効果が弱くなるファーリミット、D、を特定する2つの視点を示す図である。
【図１３】ファーリミットDにより観察者がいかに2Dおよび３Ｄ画像の混合を知覚する結果がもたらされ得るかを示す図である。
【図１４】表示配列がプロジェクターの後ろにある小画面を有する第1の場合を示す図である。
【図１５】表示配列がプロジェクターの前にある大画面を有する第2の場合を示す図である。
【図１６】投影基線をなすプロジェクター（暗い楕円形で示される）のグループにおけるいずれの視野より広い幅である再帰反射性垂直光拡散スクリーンを示す図である。
【図１７】マルチプロジェクターの表示システムを示す図である。
【図１８】演算システムの例のブロック図を描く図である。
【発明を実施するための形態】
【００１９】
現時点の好ましい実施形態は再帰反射性垂直光拡散スクリーンを利用する。このような
スクリーンは通常2つの層：一次元（1D）光拡散材料（これは一方向に小さな拡散角およ
び別方向に大きな拡散角を有する）の第1層、および再帰反射性材料（これは光線を各々
の入射角に反射する）の第2層、で構成される。
【００２０】
図1に関し、第1層100は光拡散材料110からなる。光拡散材料110を通過する入射光線105
は水平方向に小さな角度115で拡散され、垂直方向に大きな角度で拡散される。これによ
り拡散光窓125が作り出される。この種の拡散スクリーンは垂直光拡散スクリーンと呼ぶ
ことができる。
【００２１】
図2に関し、再帰反射性光拡散スクリーンは再帰反射性材料205を含む。光線210または2
20などの入射光線が再帰反射性材料205に当たると、その入射角と同じ、またはほとんど
同じ、角度で反射される。例えば、入射光線210は入射光線210の方向（すなわち入射角）
に沿って反射される再帰反射光線215を有する。同様に入射光線220は入射光線220の方向
（すなわち入射角）に沿って反射される再帰反射光線225を有する。
【００２２】
図3に関し、再帰反射性垂直光拡散スクリーン305は一次元光拡散材料310と再帰反射性
材料315の組み合わせで形成されることが好ましい。一次元光拡散材料の例はカリフォル
ニア州トーランス市のLuminit LLC製のLight Shaping Diffusers（LSD（丸付きＲ））で
ある。光形成拡散材料は60°×1°の拡散角を有することができるが、当業者であれば他
の拡散角を用い得ることを理解しよう。再帰反射性材料315は垂直方向に60°の拡散角お
よび水平方向に1°の拡散角を有することが好ましい。再帰反射性材料の例としてミネソ
タ州セントポール市にある3M Corporation製の3M（登録商標）TMScotchliteTM Reflectiv
e Material、またはコネチカット州ニューブリテン市にあるReflexite Americas製の金属
化背面を有するP66およびAC1000などの光電制御製品がある。
【００２３】
図3に描かれるように、本発明によるシステム300において、再帰反射性垂直光拡散スク
リーン305に向けられた光線320は一次元光拡散材料310を通過し、再帰反射性材料315によ
りその入射方向325に沿って（または実質的にその入射方向に沿って）反射される。一次
元光拡散材料310は再帰反射光を水平方向330に少量および垂直方向335に大量拡散する。
【００２４】
図4に関し、本発明による基本的な表示システム400は再帰反射性光拡散スクリーン405
およびプロジェクター410を含む。再帰反射性垂直光拡散スクリーン405は表示画面として
使用される。プロジェクター410から放射された光線415はプロジェクター410に再帰反射
され、プロジェクター410と重なり合う表示窓425を作り出す。スクリーン405は反射光が
垂直方向に大きな拡散角で、また水平方向に小さな拡散角で拡散されるように構成される
。垂直拡散効果のため、表示窓は投影レンズの口径と中心を合わせた垂直のスリット、ま
たは表示窓、425である。表示窓425の幅はスクリーン405の水平拡散角、プロジェクター4
10からスクリーン405への距離、および投影レンズの口径サイズの関数である。表示窓425
の幅は次の計算により判定することができる。
【００２５】
2011197675.tif 000004
【００２６】
大きな拡散角を有する利点は表示窓が垂直に拡張されることであることが特筆される。
垂直に拡張された表示窓なしだと、表示窓425は投影レンズと一致してしまい、それによ
り個人が表示窓425内で反射画像を見ることができなくなる可能性がある。表示窓を垂直
方向に拡張することにより、ユーザーはプロジェクター410の上または下の位置から見て
表示窓425における画像を見ることができる。さらに反射画像は表示窓425内で引き伸ばさ
れたり歪んだりして見えないことが特筆される。表示窓425は、それ以外は不透明な表面
において見る者がスクリーン405を全体として見ることができるスリット、または開口、
の役割を果たす。表示窓425は隠し塀においてスクリーン405全体が見える板間の開口にた
とえることができる。
【００２７】
図5に関し、2台のカメラ11および13を用いて2つの多少異なる視角から共通の場面の2つ
の各々の画像を作ることにより被写体15の立体画像を作り出すことができる。言い換えれ
ば、カメラ11および13を互いに隣接して人間の目の間の離れ具合に類似した距離で配置す
ることにより、カメラ11および13は人間の左目および右目により個々に見た画像を作り出
すことができる。人間の目の離れ具合は通常52ｍｍから78ｍｍの範囲内にある。従って、
カメラ１１および１３の取り込みレンズ間に52ｍｍから78ｍｍの距離を置くことにより立
体表示を作ることができる。
【００２８】
本例において、カメラ11および13を用いて共通被写体、すなわちサッカーボール515、
の各々の画像が作り出される。カメラ11および13は静止画カメラまたは動画カメラ（すな
わちビデオカメラ）であって良いことが理解されよう。カメラ11および13はさらに単一の
３Ｄカメラ枠内に具現されても良い。
【００２９】
次に2台のプロジェクター17および19を用い画像21をスクリーン23に投影することによ
り立体画像21を作り出すことができる。本例において、プロジェクター17はカメラ13によ
り作り出された左目の画像を投影し、プロジェクター19はカメラ11により作り出された右
目の画像を投影する。
【００３０】
残る対処すべき問題はプロジェクター17により投影される画像が見る者の右目ではなく
左目で知覚されることをどのように確保し、プロジェクター19により投影される画像が見
る者の左目ではなく右目で知覚されることをどのように確保するかである。現時点で好ま
しい実施形態において、これはスクリーン23を再帰反射性垂直光各線スクリーンにして、
再帰反射性垂直光拡散表示システムを作成することにより達成される。
【００３１】
図6に関し、図5に類似した要素は類似した参照記号を有し、本発明による再帰反射性垂
直光拡散表示システムの例は2台のプロジェクター17および19を用いて各々左目画像およ
び右目画像を再帰反射性垂直光拡散スクリーン23に投影する。スクリーン23の再帰反射性
特性のため、プロジェクター17により実現された左目画像はプロジェクター17に向けて反
射され第1表示窓27を作り出す。同様に、プロジェクター19により実現された右目画像は
プロジェクター19に向けて反射され第2表示窓29を作り出す。
【００３２】
表示窓27および29の各々は各々スクリーン23の全体にかかる平面視画像を実現するが、
合わせて見ると、以下に説明するようにスクリーン23の全体にかかる立体画像を実現する
ことができることが理解されよう。逆に、1台のみのプロジェクターが使用され、または
すべてのプロジェクターが同じ画像を投影した場合、各表示窓は同じ平面視画像を有する
ので1つの平面視画像が実現されることになる。
【００３３】
上記に説明したように、見る者、すなわち観察者、の目の間の間隔は通常52ｍｍから78
ｍｍの範囲にある。立体効果を作り出すことが望まれる場合、プロジェクター17および19
の投影レンズが52ｍｍ未満離して配置される（あるいは52ｍｍから78ｍｍの範囲に配置さ
れる）ことがさらに好ましい。プロジェクター17および19の投影レンズを52ｍｍ未満離し
た間隔にすることにより、観察者の左目が第1表示窓27内にあり、プロジェクター17によ
り作り出された左目画像を見るとすると、観察者の右目は第2表示窓29内にあり、プロジ
ェクター19により作り出された右目画像を見る可能性が高くなる。このように、立体表示
窓31は2台の隣接プロジェクター17／19からの2つの平面視表示窓27／29を組み合わせるこ
とにより作り出される。
【００３４】
図7は多視表示区域を作り出すのに適した本発明の実施形態を示す。この場合、複数の
カメラ33a‐33eを用いて5つの表示窓が作り出され、各々5つの別個の視角からの別個の画
像を有する。本例は5台のカメラしか使わずビデオ録画（または写真撮影）された被写体1
5の幅にわたるが、より多数のカメラを用いてさらに幅のある被写体にわたるなり、同じ
被写体のより微細な視角画像（すなわちより狭い表示窓）を作り出し得ることが理解され
よう。次にカメラ33a‐33eの各々からの画像をカメラ33a‐33eと類似した配列に置かれた
対応プロジェクター37a‐37eで投影することにより多視表示画像35が作り出される。これ
は5つの別個の視角を有する5つの平面視表示窓を作り出し、観察者がプロジェクター37a
からプロジェクター37eの全長を歩いたとすると、5つの別個の視角各々から多視表示画像
35を見て被写体15の横を通り過ぎる感じになる。
【００３５】
望まれる場合、隣接する表示窓の幅を観察者の目の間隔より大きくなるよう増やし（例
えば隣接するプロジェクターのレンズ間の間隔を増やすことにより）観察者が同じ表示窓
を両方の目で見ることが好ましいかもしれない。この場合、観察者は異なる視角から被写
体１５の複数の平面視画像を知覚することになる。あるいは隣接する表示窓の幅を観察者
の目の間隔より小さくして観察者がすべての隣接表示窓の全長を横切ると立体視覚を知覚
するようにできる。
【００３６】
図8に関し、本発明による多視表示システム500は再帰反射性垂直光拡散スクリーン505
およびプロジェクターのセット510A‐Fを含むことができる。図8は6台のプロジェクター
を描くがより多くのまたはより少ない数のプロジェクターを用い得ることが特筆される。
再帰反射性垂直光拡散スクリーン505は図4に関して説明されたのと同様の形で表示画面と
して使用される。すなわち、プロジェクター510A‐Fのいずれかから放射された光線515は
光線の起源となる同じプロジェクターに反射され同じプロジェクターと重なる表示窓を作
り出す。例えば、プロジェクター510A からの光線はスクリーン505により反射・拡散され
表示窓525A を形成する。この結果は表示システム500における各プロジェクターについて
同じで、各プロジェクター510A‐F は各々対応表示窓525A‐Fを生成する。従って、さら
にプロジェクターを追加するとこのような表示窓がさらに多く作り出される。
【００３７】
図８に描かれた表示システムは6つの別個の表示窓を生成した。各表示窓は対応プロジ
ェクターからの画像を表示する。複数の観点から取り込まれた画像のセットを表示するこ
とにより、ユーザーはこれらの表示窓または表示スリットを通して３Ｄを見ることができ
る。例えば、ユーザーが1つの表示窓において片方の目で1つの画像を見、別の表示窓でユ
ーザーの他方の目で別の観点の画像を見た場合、ユーザーは３Ｄ画像を知覚する。いくつ
かの実施形態において、表示窓の幅を充分に狭くし、両眼が同じ表示窓を同時に見ること
ができないのでユーザーが平面視（すなわち単眼）画像を知覚しないようにすることがで
きる。
【００３８】
当業者であれば、図８に描かれる種類の表示システムにはいくつかの利点があることを
理解しよう。まず、画像が明るい。一次元の光拡散のため、ユーザーは一般的な拡散スク
リーンの画像よりはるかに明るい画像を見ることになる。
【００３９】
第2に、表示画面は異なる形状に構成することができる。材料の再帰反射性特性のため
、スクリーンの形は普通の平面状、円筒形、球形、または殆ど任意の不規則な形など、任
意の形状であって良い。これらの形の変化は再帰反射性スクリーンの再集光特性に影響を
与えない。
【００４０】
第3に、表示システムは容易に拡大縮小できる。例えば、単により多くのプロジェクタ
ーを加えることにより、さらに多くの表示窓を生成することができる。
【００４１】
第4に、表示システムは今までの解決法のような解像度の制限がない。すべての画像が
同じスクリーンに投影されるものの、各画像は指定表示窓からのみ見られる。従って解像
度はプロジェクターの解像度と同じように高くなり得る。
【００４２】
第5に、表示システムは杭垣効果、すなわち隣接表示窓間の暗い垂直線、がない。ユー
ザーは各表示窓において単一のプロジェクターから1つの完全な解像度の画像を近くする
ので、画像に杭垣効果がない。
【００４３】
第6に、図7の多視表示システムがプロジェクター毎に1つの別個の視角で実施された場
合、表示システムは画像反転効果がない。複数の隣接するプロジェクターのペアが同じ画
像の立体ペアを表示して複数の表示域を作り出す代替システムにおいて、反転効果はユー
ザーが表示域を横切って頭を動かし左目で右目画像を知覚し右目で左目画像を知覚する場
合に生じる。図7のシステムは特定立体ペアの画像を有した繰り返される表示域がないの
で、画像反転問題がない。
逆に、各表示窓は透視図画像を表示し、画像の任意のペアが３Ｄ表示を形成する。例え
ば、表示窓は透視図画像の連続を有することができ、任意の2つの画像が３Ｄ表示を形成
する。この方法を用いると、観察者は隣接表示窓から覗く必要がないので表示窓は任意に
小さくできる。隣接する表示窓の集まりは1つの表示の連続パノラマを作り出すので、任
意の2つの表示窓が正しい視角の組み合わせを作り出し正しい立体表示を作り出す。
【００４４】
最後に、表示システムは無数の表示窓を有し得る可能性を秘める。表示システムは理論
的に無数の表示窓を生成することができるものの、生成できる表示窓の数は拡散材料の水
平拡散角、プロジェクターからスクリーンへの距離、およびプロジェクターのサイズに依
存する。
【００４５】
上述のように、現時点で好ましい実施形態は図4に示すように、投影モジュールおよび
特殊スクリーンを含む再帰反射性表示システムである。投影モジュールは2台のプロジェ
クター（図5および6に示すように）、または複数のプロジェクター（図7および8に示すよ
うに）を含み、特殊スクリーンに立体３Ｄ内容（すなわち立体表示）または多視３Ｄ内容
（すなわち多視表示）を投影することが好ましい。特殊スクリーンは再帰反射性垂直光拡
散スクリーン（RVLDS）と呼ばれ、光の集光および指向性比較拡散の特殊な特性を有する
。
集光特性のために、スクリーンは1台のみのプロジェクターを用いる場合プロジェクタ
ーの位置に1つの視点（すなわち表示窓）を、また複数のプロジェクターを用いる場合複
数の視点（すなわち表示窓）を形成できる。
【００４６】
指向性比較拡散特性のために、光は垂直方向に大きな拡散角で、および水平方向に小さ
な拡散角で拡散される。この指向性光拡散の結果、スクリーンにより形成される視点は垂
直および水平方向双方に拡張され、投影レンズの口径を中心として垂直矩形表示窓になる
。表示窓の幅はスクリーンの水平拡散角、プロジェクターからスクリーンへの距離、およ
び投影レンズの口径サイズの関数である。
【００４７】
以下の考察は現時点で好ましい３Ｄ表示システムに基づく分析である。しかしこれらの
結果は他の表示窓３Ｄシステムを含み上述の表示窓に基づく他のシステムにも適用できる
。
【００４８】
表示窓に基づく投影システムの上述例において、周りに表示窓（または複数の表示窓）
が作り出されるプロジェクター（または1列のプロジェクター）の位置は今後表示基線と
特定される。例えば、図9は1つの表示窓41を示す。表示窓41の前後の暗い区域は「全画面
域」、すなわちスクリーン23の全体を見ることのできる区域、を特定する。点線で輪郭が
描かれた薄い斜線区域は「部分画面域」を特定し、ここは観察者によりスクリーン23上の
スクリーンの一部のみが見られる。本例の場合、表示窓41は投影基線を定義する。
【００４９】
言い換えれば、図9は1つの表示窓の場合の表示量を示す。観察者は観察者の目が菱形の
全画面域（濃いグレーの領域）内に位置している場合にのみ窓41を通してスクリーン23上
で全画像を見ることができる。観察者は目が全画面域外にあっても部分画面域（すなわち
淡いグレーの領域）内にある場合スクリーン23上で画像の一部を見る。観察者の目が全画
面域と部分画面域の外にある場合、観察者はスクリーン23で投影画像を全く見ることがで
きない。同様に、表示窓に基づく３Ｄ表示システムの表示量はスクリーンの幅および投影
基線により決定される。投影基線はすべての表示窓を含む線分である。
【００５０】
第2の例として、図10は図9の場合より幅広く複数の隣接表示窓により構成される表示基
線を示す。より幅の広い基線の結果、全画面域は図9のそれより大きい。前と同じように
、部分画面域（すなわち点線で輪郭が描かれた薄い斜線区域）は観察者（すなわち見る者
）が表示窓を通してスクリーン23の一部のみを見ることができる区域を強調表示している
。全画面域および部分画面域の外では、観察者はスクリーン23上で投影画像を見ることが
できない。
【００５１】
言い換えれば、図10は多表示の場合の表示量を示す。濃いグレーの全画面域内で観察者
は表示窓のいくつか、またはすべて、を通して投影画像全体を見ることができる。この場
合もやはり淡いグレーの部分画面域内で観察者はスクリーン23上で投影画像の一部のみ見
ることができる。全画面域および部分画面域の外では、観察者はスクリーン23上で投影画
像のいずれの部分も見ることができない。
【００５２】
以下は、本発明により表示システムの全画面域および部分画面域の修正方法の考察であ
る。
図11に関し、多表示投影システムの例は8台のプロジェクター（図示せず）を用いて8つ
の（矩形）表示窓1‐8を作り出し、各々周りに対応する菱形の全画面域に囲まれている。
上述のように、8台のプロジェクターの各々はスクリーン23の全体にかかる対応画像21を
作り出す。しかし各プロジェクターの各々の画像はプロジェクターの対応表示窓により定
義される対応全画面域からのみ全体として見ることができる。表示窓1‐8の集合はシステ
ムの投影基線45を構成する。すなわち、投影基線45上で、各全画面域（または対応表示窓
1‐8）内において観察者は対応画像源（すなわち表示窓に対応するプロジェクター、図示
せず）からの全画像を見る。
【００５３】
しかし、観察者が視点例43で示されるように全画面域のいずれもの外で投影基線の後ろ
または前に位置している場合、観察者の視野、視野、は複数の表示窓にかかることができ
る。これは観察者が複数の隣接する物理的な窓を通して見るのに類似している。観察者の
視野は各物理的な窓を通してスクリーン23の一部表示のみが入るかもしれないのと同じよ
うに、視点43における観察者は各表示窓の対応投影画像を部分的にしか見えないかもしれ
ない。さらに、視点43からの視野は表示窓のいくつかのみからスクリーン23が見えないか
もしれない。本例において、視点43は表示窓3‐7からスクリーン23が見え、表示窓7は視
点43から一部しか見えない。
【００５４】
本例において、表示窓3から7に対応する投影画像は21_3 から21_7と標記される。画像2
1_3 から21_7の各々はスクリーン23の全体にかかり、各々は互いに重なり合うが、スクリ
ーン23の特殊な性質から各投影画像21_3から21_7は個々にその対応表示窓3‐7から見える
ことが理解されよう。
【００５５】
各表示窓から見える投影画像は各対応画像に対し独特であるかもしれないが、各表示窓
は同じ画像被写体の異なる視角からの表示を提供するので、もたらされる効果は視点43に
対応する異なる視角からの同じ画像被写体の合成である。すなわち、各表示窓3から7から
の部分表示（21_3から23_7）によりもたらされる合成画像47は視点43において新しい透視
視点からスクリーン23を見るのにおよそ同等である。要するに、視点43からの表示は新し
い視角に近似する。
【００５６】
３Ｄの知覚を持つために、観察者の左目と右目は通常立体ペアと称される2つの異なる
画像（すなわち左目画像および右目画像）を見る必要がある。図11の多表示投影システム
は各表示窓が同じ画像被写体の別個の視角を提供するので、本質的に観察者に立体ペア画
像を提供する。しかし、図11の多表示投影システムが立体ペア画像を提供できる位置の範
囲には限度がある。
【００５７】
図12に関し、観察者の2つの目を表す2つの視点43aおよび43bは、超えると観察者の知覚
する３Ｄ効果が弱まるかもしれないスクリーン23からのファーリミット、D、を特定して
いる。視点43aおよび43b間の距離は観察者の目の間の距離に対応し、以降観察者の瞳孔間
距離、IPD、と特定される。図示されるように、超えると観察者が2Dおよび３Ｄの画像ペ
アの組み合わせを見得るファーリミット、D、が存在する。本多表示システムについてフ
ァーリミットDは以下により与えられる。
【００５８】
2011197675.tif 000005
【００５９】
３Ｄ知覚を持つために、観察者の左目と右目は2つの異なる画像、すなわち立体ペア、
を見る必要がある。図13はファーリミットDにより観察者がいかに2Dおよび３Ｄ画像の混
合を知覚する結果がもたらされ得るかを示す。図11および12に類似したすべての要素は類
似した参照記号を有し、上記に説明される。2つの視点43cおよび43dはこの場合も観察者
の2つの目を表す。
【００６０】
本例において、左目視点43dは表示窓2乃至7を通る視野を有する一方、右目視点43cは表
示窓3乃至7を通る視野を有する。視点43cから見た画像51は表示窓3乃至7からの部分表示
のモザイクである。反対に、視点43cから見た画像53は表示窓2乃至7からの部分表示のモ
ザイクである。この結果、画像が同一であることを意味する同一パターンを有する部分表
示領域は３Ｄの薄切りの間に差し挟まれる2Dの薄切りを形成する。観察者はこれら2Dの薄
切りだけを見た場合３Ｄ画像を知覚することができない。
【００６１】
しかし、これら2Dの薄切りにより３Ｄ知覚が弱まるかもしれないもののこの2Dの薄切り
と３Ｄの薄切りの組み合わせのこのペアから観察者はやはり３Ｄ画像を知覚する。
以降、全画面がまだ見えるが３Ｄの薄切りと2Dの薄切りの組み合わせにより弱まった３
Ｄ効果を有する領域は弱体化３Ｄと特定される。以下は弱体化３Ｄ領域を活用することに
より３Ｄ投影システムの表示量を拡大する2つの構成である。
【００６２】
以下に2つの事例を取り上げる。比較的小型なスクリーンで用いる第1事例および大きな
会場で使われるような、大型なスクリーンで用いる第2事例である。
【００６３】
図14に関し、小型スクリーンを有する第1事例はプロジェクターの後ろに表示配置を有
する。この事例において、プロジェクターは通常形状因子が小さい種類で、スクリーン23
の比較的近くに配置される。これは小さな表示窓を作り出し、これらが投影基線を定義す
る。指定表示量は投影基線の後ろにあり、スクリーン23の全体が３Ｄで見ることができる
全画面域、およびスクリーン23の一部のみが見える部分画面域からなる。上述のように、
ファーリミットの線は完全な３Ｄでの表示の終わりに一線を画する。ファーリミットの線
の後ろは弱体化３Ｄ域で、観察者は図13に関連して上述のように３Ｄおよび2D画像の組み
合わせを知覚する。この構成は弱体化３Ｄ領域を組み入れることにより表示量を拡大する
が、プロジェクターはスクリーンに近いので、投影画像のサイズは固定プロジェクター視
野に対し小さい。従ってこの設定は家庭または小型のオフィス環境など小グループの観衆
に適している。
【００６４】
図15に関し、大型スクリーンを有する第2事例はプロジェクターの前に表示配置を有す
る。この事例の場合、プロジェクターは投影基線で示されるようにスクリーンから遠く離
れて配置され、観察者はプロジェクターの前に立って３Ｄの内容を見る。指定表示量は投
影基線の前にあり、スクリーン全体が３Ｄで見ることのできる全画面域は三角の形状を有
する。全画面域を超えると観察者がまだ３Ｄ効果を知覚できるがスクリーンの一部しか見
えない部分画面域がある。完全な３Ｄ表示能力はここでもファーリミットの線で一線が画
され、本事例の場合投影基線の前にある。ファーリミットの線と投影基線との間に弱体化
３Ｄ領域があり、そこから観察者は３Ｄおよび2D画像の組み合わせを見る。
【００６５】
プロジェクターはスクリーンから遠く離れて配置されており表示量はプロジェクターの
前にあるので、個々の表示窓のサイズは人間の瞳孔間距離より大きくても良い。従って大
型で高光度のプロジェクターを用いることができる。この設定のスクリーンは非常に大き
くても良いが（プロジェクター視野および投影距離による）、各プロジェクターは依然と
してスクリーンの幅全体を覆う必要があるのでサイズは未だに限定される。この設定は大
きなグループの観衆が大規模な形で３Ｄの内容を見るのに適している。
【００６６】
上記に考察された実施形態すべてにおいて、マルチプロジェクターシステムにおける各
プロジェクターはスクリーン全体を覆う必要がある。これによりプロジェクターの視野お
よび相対的強さによってスクリーンのサイズが限定される。基本的に、一旦プロジェクタ
ーの視野が固定されるとスクリーンのサイズは固定される。より多くのプロジェクターを
加えるとより多くのより微細な表示窓を作り出すだけで、表示量を拡大するかもしれない
が、スクリーンサイズに影響は与えない。
【００６７】
以下は上記の実施形態を踏まえているが、より幅広い３Ｄスクリーンを作り出す表示窓
に基づく表示システムの代替の構成を提供する。
図16に関し、本実施形態は投影基線（図7および8に類似）を構成するプロジェクターの
グループ（塗りつぶした楕円形で図示）における任意のプロジェクターの視野より幅の広
い再帰反射性垂直光拡散スクリーン99を用いている。この新しい広スクリーンデザインに
対し、プロジェクターは光軸がスクリーン99の法線となるように配置され、上述の実施形
態と異なりスクリーンサイズ（すなわち投影画像のサイズ）は1台の個別的プロジェクタ
ーのいずれの視野によっても限定されない。その結果、プロジェクターを追加することに
より柔軟にスクリーンの幅を拡大することができる。さらにプロジェクターがスクリーン
99の法線となる方向に沿ってスクリーン99に対し等距離であることが好ましい。すなわち
、各プロジェクターはスクリーン99から同じ距離の間隔にあることが好ましく、各プロジ
ェクターは等しいサイズの画像をスクリーン99上に実現することが好ましい。
【００６８】
例えば、考察の上で列車の３Ｄ画像がスクリーン99に投影され、列車の長さはスクリー
ン99の幅にわたると仮定する。本例において、投影基線は49台のプロジェクターからなり
、49台のプロジェクターは合わせてスクリーン99の幅を３Ｄで覆う。これを達成するため
に、各プロジェクターは列車画像全体の一部のみを提供し、各部はスクリーン99の幅にわ
たる全体の画像の一部のみを覆う。この一部は合成画像の幅にわたらないことが好ましい
。
【００６９】
説明の各々について、視野の線が交互のプロジェクターに対し示され、各プロジェクタ
ーは全体の列車画像の一部のみを提供し、これらの部分は重なり合って全体の列車画像の
合成を作り出すことを図示する。各プロジェクターは共通方向に沿ってずらされる画像を
提供し、各画像は共通の固定量だけずらされることが好ましい。
【００７０】
本例において、列車は1台の機関車、4台の貨車、および1台の車掌車からなる。5台のプ
ロジェクター61‐65が列車の前の機関車71の画像を提供し、5台のプロジェクター85‐89
が列車の終わりの車掌車76の画像を提供する。間の他のプロジェクターは機関車71と車掌
車76との間にある残りの列車画像の画像を提供する。
【００７１】
例えば、プロジェクター61はスクリーン99の一方の端にある領域R61にかかる視野61を
有し、機関車71の前端から約2／3にかかる画像を提供する。プロジェクター63はスクリー
ン99の領域R61を覆い機関車71の画像をその後端に向かって拡張する。プロジェクター61
と63との間の重なる領域98は幾何学的歪みなしに1つの連続画像を実現するよう幾何学的
に位置合わせされている。しかし、スクリーン99の再帰反射特性のために、重なり合う領
域は測光的に位置合わせされていない。すなわち、各プロジェクターにより提供される画
像はそれを形成したのと同じプロジェクターに反射されるので、異なるプロジェクターか
らの異なる画像が組み合わされることの測光的特性（すなわち光強度など光関係の特性）
による影響に対応する必要がない。これはプロジェクターが一旦幾何学的に位置合わせす
るとそれ以上の調節は必要ないため、投影基線に沿った複数のプロジェクターのモザイク
化を非常に簡略化する。
【００７２】
投影基線の後ろから見ると、本システムの視野は個々のプロジェクターの視野と同じで
ある。投影基線の後ろに立つ観察者は観察者の視野内のプロジェクターにより覆われるス
クリーン99の部分しか見えない。異なる位置で観察者はスクリーンの異なる部分を見るこ
とになる。これは観察者が列車など非常に幅の広い物体のそばに立った場合の現実の体験
に類似している。観察者が列車のそばにいると、観察者は列車の一部しか見えない。列車
のより幅広い眺めを得るためには、観察者が列車からある距離後ろに下がり列車の長さを
自分の視野内に合わせなければならない。同様に、本実施形態はスクリーン99、従って投
影された列車、のより広い表示を得るために、観察者は後ろに下がり自分の視野を広める
か、スクリーン99の全長を歩く必要がある。観察者がスクリーン99に沿って歩くと、投影
基線に沿った第1プロジェクターグループにより提供される第1画像セットから次のプロジ
ェクターグループにより提供される次の画像セットに進み、観察者は列車、またはスクリ
ーン99上に提供される任意の画像、の全長を実際に歩く感覚と持つ。
【００７３】
観察者の制限された視野の3つの例が図16に提供される。第1例において、観察者は地点
93にいるかもしれず、これは3台のプロジェクターにかかる視野を提供することになり、
地点93から観察者が見える画像は貨車72の全体にかかる領域R93になるが、機関車71や他
の貨車の眺めは提供しない。
【００７４】
観察者が次に後ろの位置91に下がると、この位置からの視野は9台のプロジェクターに
かかり、観察者はスクリーン99のより広い表示が得られる。この場合、観察者は領域R91
を見ることになり、貨車75の完全な表示、および車掌車76と貨車74の部分的な表示を見る
ことになるが、列車の残りは見えないままである。
【００７５】
観察者が次に位置92に移動すると、観察者の視野は16台のプロジェクターにかかり、ス
クリーン99のより広い表示が得られる。この場合、観察者は貨車73と74が完全に見え、貨
車72と75の部分的な表示が見られる。
従って、この構成は非常に幅広いスクリーン（すなわちまたは同等に非常に幅広い画像
）を作り出すことができ、投影基線に沿った任意の個別的プロジェクターの視野より幅の
広いパノラマ場面を３Ｄで表示するのに特に適している。
【００７６】
図17は本発明による、少なくとも1つの再帰反射性垂直光拡散スクリーン1605を有する
マルチプロジェクター表示システム1600を示す。システムは再帰反射性光拡散スクリーン
1605および複数のプロジェクター1610Aから1610xを有してなる。描かれたシステム1600に
おいて、プロジェクター1610A‐1610xは演算システム1620に制御されることができる。演
算システムは透視画像のセットを記憶するデータストア1630を含み、またはそれに通信上
接続されることができる。演算システム1620は透視表示をプロジェクター1610A‐1610x経
由のスクリーン1605上の表示を調整して多視表示を生成する。
【００７７】
本発明はデータを処理し得る任意の命令実行／演算装置またはシステムにおいて実施で
きることが特筆され、これには汎用コンピューターおよびデータまたは画像処理用などの
特定コンピューターが含まれるがこれらに限定されない。本発明はさらに他の演算装置お
よびシステムで実施され得る。さらに、本発明の態様はソフトウェア、ハードウェア、フ
ァームウェア、またはこれらの組み合わせを含み、広範囲な形で実施することができる。
例えば、本発明の様々な態様を実施する機能は個々の論理部品、1つ以上の特定用途向け
集積回路（ASIC）、および／またはプログラム制御プロセッサーを含み広範囲な形で実装
される部品により実施することができる。これらの部品が実装される形は本発明に肝要で
はないことが特筆される。
【００７８】
図18は本発明の実施形態で実施し得る命令実行／演算装置1700の実施形態の機能的ブロ
ック図を描く。図18に示すように、プロセッサー1702がソフトウェア命令を実行し、他の
システム・コンポーネントとやりとりする。一実施形態において、プロセッサー1702は（
限定ではなく例として）AMD（登録商標）プロセッサー、INTEL（登録商標）プロセッサー
、SUN MICROSYSTEMS（登録商標）プロセッサー、またはPOWERPC（登録商標）対応CPUなど
の汎用プロセッサーであることができ、またはプロセッサーは特定用途向けの1つまたは
複数のプロセッサーであることができる。
【００７９】
プロセッサー1702に連結された記憶装置1704はデータおよびソフトウェア・プログラム
の長期的記憶を提供する。記憶装置1704はハードディスク・ドライブおよび／または磁気
もしくは光媒体（例、ディスケット、テープ、コンパクトディスク、DVD、等々）のドラ
イブまたはソリッドステート記憶装置などデータを記憶できる別の装置であって良い。記
憶装置1704はプロセッサー1702で使用するプログラム、命令、および／またはデータを収
納することができる。
【００８０】
一実施形態において、記憶装置1704に記憶され、そこからロードされるプログラムまた
は命令はメモリー1706にロードされ、プロセッサー1702により実行される。
一実施形態において、記憶装置1704はプロセッサー1702でオペレーティングシステムを
実施するプログラムまたは命令を収納する。
【００８１】
実施形態において、考えられるオペレーティングシステムはUNIX（登録商標）、AIX（
登録商標）、LINUX（登録商標）、Microsoft（登録商標） Windows（登録商標）、および
Apple（登録商標） MAC（Ｍａｃｉｎｔｏｓｈ（登録商標）） OSが含まれるが、これらに
限定されない。実施形態において、オペレーティングシステムは演算システム1700上で実
行し、システムの稼動を制御する。望まれる場合、記憶装置1704は図17のデータストア16
30として実施することができる。
【００８２】
プロセッサー1702に連結されるアドレス可能なメモリー1706はデータおよびプロセッサ
ー1702により実行されるソフトウェア命令を記憶するのに使用することができる。メモリ
ー1706は例えばファームウェア、読み取り専用メモリー（ROM）、フラッシュメモリー、
不揮発性ランダムアクセスメモリー（NVRAM）、ランダムアクセスメモリー（RAM）、また
はこれらの任意の組み合わせであって良い。
【００８３】
一実施形態において、メモリー1706は別途サービス、ユーティリティー、コンポーネン
ト、またはモジュールとして知られるソフトウェア・オブジェクトをいくつか記憶してい
る。当業者であれば、さらに記憶1704およびメモリー1706は同じ品目で双方の立場で機能
し得ることを理解しよう。
一実施形態において、1つ以上のソフトウェアコンポーネントまたはモジュールはメモ
リー1704、1706に記憶されプロセッサー1702により実行され得る。
【００８４】
一実施形態において、演算システム1700は他の装置、他のネットワーク、または双方と
通信する能力を提供する。演算システム1700は1つ以上のネットワークインターフェイス
またはアダプター1712、1714を含み、演算システム1700を他のネットワークおよび装置と
通信上連結することができる。例えば、演算システム1700はネットワークインターフェイ
ス1712、通信ポート1714、または双方、を含むことができ、これらの各々はプロセッサー
1702に通信上連結され、演算システム1700を他のコンピューターシステム、ネットワーク
、および装置に連結するために使用することができる。
【００８５】
一実施形態において、演算システム1700はプロセッサー1702に連結されグラフィックス
およびテキストの表示を容易にする1つ以上の出力装置1708を含むことができる。出力装
置1708はプロジェクター、ディスプレイ、LCD画面、CRTモニター、プリンター、タッチ画
面、または情報を表示する他の装置を含むことができるが、これらに限定されない。
演算システム1700はさらに出力装置1708における情報または画像の表示を補助するグラ
フィックスアダプター（図示せず）を含み得る。
【００８６】
プロセッサー1702に通信できるよう連結される1つ以上の入力装置1710を用いてユーザ
ー入力を円滑にすることができる。入力装置1710はマウス、トラックボール、またはタッ
チ・パッドなどのポインター装置を含むことができるが、これらに限定されず、さらにデ
ータまたは命令を演算システム1700に入力するためにキーボードまたはキーパッドを含む
ことができる。
【００８７】
一実施形態において、演算システム1700は通信ポート1714、ネットワークインターフェ
イス1712、メモリー1704／1706に記憶されるデータ、または入力装置1710を通して、スキ
ャナー、コピー機、ファクシミリ機、または他の演算装置から入力を受信することができ
る。
当業者であれば、本発明の実施にいずれの演算システムも肝要ではないことを理解しよ
う。当業者であればさらに上述の構成要素のいくつかはサブ・モジュールに物理的および
／または機能的に分けられ、または組み合わせられることを理解しよう。
【００８８】
本発明の実施形態はさらに各種コンピューター実施の操作を行なうためのコンピュータ
ーコードを有するコンピューター読み取り可能な媒体を有するコンピューター製品に関わ
ることができることが特筆される。媒体およびコンピューターコードは本発明の目的のた
めに特別に設計され構築されたものでも良く、または該当技術の当事者に知られ、利用可
能な種類のものであっても良い。コンピューター読み取り可能な媒体の例は、ハードディ
スク、フロッピー（登録商標）ディスク、および磁気テープなどの磁気媒体、CD‐ROMお
よびホログラフィー装置などの光媒体、光磁気媒体、ならびに特定用途向け集積回路（AS
IC）、プログラマブル論理装置（PLD）、フラッシュメモリー装置、およびROMやRAM装置
など、プログラムコードを記憶し、または記憶して実行するよう特別に構成されるハード
ウェア装置を含むがこれらに限定されない。コンピューターコードの例はコンパイラーに
より作成されるような機械コード、およびインタープリターを用いてコンピューターによ
り実行されるより高位レベルのコードを含むファイルを含む。
【００８９】
本発明の実施形態は全体としてまたは一部コンピューターにより実行されるプログラム
モジュールにある機械実行可能な命令として実施することができる。プログラムモジュー
ルの例はライブラリー、プログラム、ルーチン、オブジェクト、コンポーネント、および
データ構造を含む。分散演算環境において、プログラムモジュールは物理的にローカル、
遠隔、または双方の環境に所在することができる。
【００９０】
発明はいくつかの具体的な実施形態に関連して説明されたが、当業者には多数の代替、
修正、および変形が前述の説明に照らし明らかであることが明白である。従って、本明細
書に説明される発明は添付クレームの精神および範囲内に入るこのような代替、修正、用
途、および変形すべてを包括することが意図される。
【符号の説明】
【００９１】
２０５    再帰反射性材料
２１０    入射光線
２１５    再帰反射光線
２２０    入射光線
２２５    再帰反射光線
３１０    一次元光拡散材料
４０５    再帰反射性垂直光拡散スクリーン
４１０    プロジェクター
４２５    表示窓
１６１０  プロジェクター
【図１】
2011197675.tif 000007
【図２】
2011197675.tif 000008
【図３】
2011197675.tif 000009
【図４】
2011197675.tif 000010
【図６】
2011197675.tif 000011
【図８】
2011197675.tif 000012
【図９】
2011197675.tif 000013
【図１０】
2011197675.tif 000014
【図１１】
2011197675.tif 000015
【図１２】
2011197675.tif 000016
【図１３】
2011197675.tif 000017
【図１４】
2011197675.tif 000018
【図１５】
2011197675.tif 000019
【図１６】
2011197675.tif 000020
【図１７】
2011197675.tif 000021
【図１８】
2011197675.tif 000022
【図５】
2011197675.tif 000023
【図７】
2011197675.tif 000024